(57)【要約】【課題】  複数の被制御機器を自動的または簡単な操作で選択できる、複数の機器をリモート操作するリモコン装置を提供する。【解決手段】  被リモコン機器特定部１１はビーコン信号受信部１２が受信したビーコンＩＤまたは無線タグリーダ１４が読取った無線タグＩＤに対し、ビーコンＩＤ／機器ＩＤ登録部１３または無線タグＩＤ／機器ＩＤ登録部１５を参照して被リモコン機器を特定し、制御部１０は、特定された被リモコン機器の操作スイッチ群を操作／表示部１６へ表示し、リモート操作信号発信部１８は操作内容に対応するリモート操作信号を発信する。【選択図】図２
2017225035.tif 000002
【特許請求の範囲】
【請求項１】
近傍に存在する複数の被制御機器のいずれかをリモート操作するリモコン装置であって、
前記被制御機器の各々をリモート操作するリモート操作コマンドを、前記被制御機器を識別する機器識別情報と対応付けて登録するコマンド登録手段と、前記登録されているリモート操作コマンドに係る情報を表示するコマンド表示手段と、前記リモート操作コマンドのいずれかを無線発信するコマンド発信手段と、所定の無線タグまたはバーコードから前記機器識別情報を読取る読取手段と、を有し、
自リモコン装置は、前記読取手段が読取った機器識別情報に対応する１以上のリモート操作コマンドに係る情報を表示し、前記リモート操作コマンドのいずれかを発信する操作が為されたならば、当該リモート操作コマンドを無線発信することを特徴とする複数の機器をリモート操作するリモコン装置。
【請求項２】
請求項１に記載のリモコン装置であって、
前記機器識別情報を読取った後に、予め定められた所定時間内に他の機器識別情報を読取った場合、または他の機器識別情報を読取る前もしくは後に予め定められた特定操作が為された場合に、前記読取った複数の機器識別情報に対応する複数のリモート操作コマンドの一部または全てに係る情報を表示することを特徴とする複数の機器をリモート操作するリモコン装置。
【請求項３】
近傍に存在する複数の被制御機器のいずれかをリモート操作するリモコン装置であって、
自リモコン装置が現在存在している現在位置を特定する位置特定手段と、前記被制御機器の各々をリモート操作するリモート操作コマンドを、位置を識別する位置情報と対応付けて登録する位置コマンド登録手段と、前記登録されているリモート操作コマンドに係る情報を表示するコマンド表示手段と、前記リモート操作コマンドのいずれかを無線発信するコマンド発信手段と、を有し、
自リモコン装置は、前記位置特定手段が特定した前記現在位置に対応する１以上のリモート操作コマンドに係る情報を表示し、前記リモート操作コマンドのいずれかを発信する操作が為されたならば、当該リモート操作コマンドを無線発信することを特徴とする複数の機器をリモート操作するリモコン装置。
【発明の詳細な説明】
【技術分野】
【０００１】
本発明は、近傍に存在する複数の被制御機器のいずれかをリモート操作するリモコン装置に関する。
【背景技術】
【０００２】
従来より、エアコン，テレビ，ビデオ，オーディオ，照明等の各種の家電機器は、各機器に付属の赤外線リモコン装置でリモート操作することが一般的であった。このため、各種の家電機器毎のリモコン装置が氾濫し、多数のリモコン機器の管理が大変であった。
【０００３】
そこで、複数の家電機器をリモート操作できる複数機器対応のリモコン装置があると便利である。この場合、リモート操作する対象の機器を自動的または簡単な操作で選択できることが望ましく、例えば、リモート操作する対象の機器を無線タグで選択することが考えられる。
【０００４】
無線タグと連動して所定の機器をリモート操作する技術として、無線タグに記憶された情報を読み出し、前記読み出した情報に基づいたコマンド信号を機器に送信する技術が知られている（例えば、特許文献１）。
【０００５】
しかしながら、特許文献１に記載の技術は、機器側の多機能化に対応してリモコン装置側の操作キーを増加させないために、機器を操作するための所要の情報が記憶された無線タグが、操作項目の別により分けられた領域ごとに保持されたシート状の無線タグ保持体の所定の部位に、リモコン装置を近づけて（タッチして）所望の無線タグから情報を読み出し、該無線タグに書き込まれた情報に対応する動作を上記電子機器に対して指示することを可能とするものである。即ち、この技術は、多機能化された特定の機器（例えば、操作項目が多数あるオーディオ機器）をリモート操作する、リモコン装置側の操作性を改善するものであり、複数の機器を選択的にリモート操作するものではない。
【先行技術文献】
【特許文献】
【０００６】
【特許文献１】特開２００４−１４５７２０号公報
【発明の概要】
【発明が解決しようとする課題】
【０００７】
本発明の課題は、複数の被制御機器を自動的または簡単な操作で選択できる、複数の機器をリモート操作するリモコン装置を提供することにある。
【課題を解決するための手段】
【０００８】
上記課題を解決するために、第１の発明は、近傍に存在する複数の被制御機器のいずれかをリモート操作するリモコン装置であって、前記被制御機器の各々をリモート操作するリモート操作コマンドを、前記被制御機器を識別する機器識別情報と対応付けて登録する機器コマンド登録手段と、前記登録されているリモート操作コマンドに係る情報を表示するコマンド表示手段と、前記リモート操作コマンドのいずれかを無線発信するコマンド発信手段と、所定の無線タグまたはバーコードから前記機器識別情報を読取る読取手段と、を有し、自リモコン装置は、前記読取手段が読取った機器識別情報に対応する１以上のリモート操作コマンドに係る情報を表示し、前記リモート操作コマンドのいずれかを発信する操作が為されたならば、当該リモート操作コマンドを無線発信することを特徴とする。
【０００９】
また、第２の発明は、近傍に存在する複数の被制御機器のいずれかをリモート操作するリモコン装置であって、自リモコン装置が現在存在している現在位置を特定する位置特定手段と、前記被制御機器の各々をリモート操作するリモート操作コマンドを、位置を識別する位置情報と対応付けて登録する位置コマンド登録手段と、前記登録されているリモート操作コマンドに係る情報を表示するコマンド表示手段と、前記リモート操作コマンドのいずれかを無線発信するコマンド発信手段と、を有し、自リモコン装置は、前記位置特定手段が特定した前記現在位置に対応する１以上のリモート操作コマンドに係る情報を表示し、前記リモート操作コマンドのいずれかを発信する操作が為されたならば、当該リモート操作コマンドを無線発信することを特徴とする。
【発明の効果】
【００１０】
本発明によれば、複数の被制御機器を自動的または簡単な操作で選択できる、複数の機器をリモート操作するリモコン装置を提供できる。
【図面の簡単な説明】
【００１１】
【図１】本発明の実施形態に係る全体図である。
【図２】本発明に係るリモコン装置１の内部ブロック構成図である。
【図３】各ＩＤとリモート操作コマンドの対応例である。
【図４】操作／表示部１６の表示例である。
【図５】本発明に係るリモコン装置１の動作フローチャートである。
【発明を実施するための形態】
【００１２】
以下、本発明の実施の形態について説明する。
【００１３】
図１は、本発明の実施形態に係る全体図の１例である。１は複数の被リモコン機器をリモート操作するリモコン装置（以下、本装置），２は位置に係るビーコンＩＤを含む無線信号を定期的に発信するビーコン発信器，３は被リモコン機器としてのエアコン，４は被リモコン機器としてのテレビ，５は被リモコン機器としてのビデオであり、各被リモコン機器には無線タグ３Ａ，無線タグ４Ａ，無線タグ５Ａが装着されている。
【００１４】
本装置１は、各被リモコン機器に装着された無線タグから読取った無線タグＩＤ、または、ビーコン発信器２から受信したビーコンＩＤに応じて、エアコン３，テレビ４，ビデオ５の各被リモコン機器のいずれかを選択的にリモート操作する。なお、被リモコン機器としては、図示した以外の機器（例えば、オーディオ機器，扇風機，照明器具等）であってもよく、リモート操作できる機器の一般が適用可能である。
【００１５】
ビーコン発信器２は、例えば、各部屋に１台設置されており、各ビーコン発信器２が発信する無線信号に含まれているビーコンＩＤは、各ビーコン発信器２を識別するＩＤ（IDentification）であり、当該ＩＤは当該ビーコン発信器２が設置された位置を特定する。即ち、本装置１は受信したビーコンＩＤにより、自装置の現在地が分かる。そして、本装置１には、ビーコンＩＤと各被リモコン機器の対応関係の情報が登録されているので、本装置１を携帯して、部屋を移動しても、その部屋に存在している被リモコン機器を選択的にリモート操作できる。なお、その部屋に複数の被リモコン機器が存在している場合、リモート操作する被リモコン機器の筐体やその近傍の壁等に装着されている無線タグに本装置を近づけて、各被リモコン機器を識別する機器ＩＤに対応する無線タグＩＤを読取って、被リモコン機器を特定する。以下、本装置１の構成，動作について説明する。
【００１６】
図２に、本装置１の内部ブロック構成図を示す。本装置１は、制御部１０，被リモコン機器特定部１１，ビーコン信号受信部１２，ビーコンＩＤ／機器ＩＤ登録部１３，無線タグリーダ１４，無線タグＩＤ／機器ＩＤ登録部１５，操作／表示部１６，機器ＩＤ／リモート操作コマンド登録部１７と、リモート操作信号発信部１８、登録情報受信部１９から構成される。
【００１７】
制御部１０は、本装置１の全体を制御する手段である。制御部１０は、機器ＩＤ／リモート操作コマンド登録部１７を参照し、被リモコン機器特定部１１が特定した被リモコン機器のリモート操作コマンドを操作／表示部１６に表示し、操作／表示部１６から入力した操作内容に従って、所定のリモート操作信号の発信をリモート操作信号発信部１８に指示する。制御部１０の動作の詳細は後述する。
【００１８】
被リモコン機器特定部１１は、ビーコンＩＤまたは無線タグＩＤに基づいて、被リモコン機器を特定する手段である。ビーコン信号受信部１２からビーコンＩＤが入力された場合、ビーコンＩＤ／機器ＩＤ登録部１３を参照し、入力されたビーコンＩＤに対応する被リモコン機器の機器ＩＤを特定する。また、無線タグリーダ１４から無線タグＩＤが入力された場合、無線タグＩＤ／機器ＩＤ登録部１５を参照し、入力された無線タグＩＤに対応する被リモコン機器の機器ＩＤを特定する。そして、特定した機器ＩＤを制御部１０へ通知する。
【００１９】
ビーコン信号受信部１２は、ビーコン発信器２が発信したビーコン信号を受信する手段である。ビーコン信号受信部１２は、受信したビーコン信号に含まれているビーコンＩＤを抽出し、抽出したビーコンＩＤを被リモコン機器特定部１１へ出力する。
【００２０】
ビーコンＩＤ／機器ＩＤ登録部１３は、各ビーコンＩＤと各機器ＩＤを関連付けて登録する手段である。ビーコンＩＤ／機器ＩＤ登録部１３に登録する各ビーコンＩＤと各機器ＩＤは、登録情報受信部１９から入力する。なお、この入力は、操作／表示部１６から手操作で入力してもよい。
【００２１】
無線タグリーダ１４は、近傍に存在する無線タグから無線タグＩＤを読取る手段である。例えば、本装置１をエアコン３の筐体またはその近傍に貼られた無線タグ３Ａに近づけて無線タグＩＤを読取り、読取った無線タグＩＤを被リモコン機器特定部１１へ出力する。なお、本実施形態では、無線タグ方式としているが、無線タグをバーコードに置き換え、無線タグリーダ１４をバーコードリーダに置き換えてもよい（図示せず）。
【００２２】
無線タグＩＤ／機器ＩＤ登録部１５は、各無線タグＩＤと各機器ＩＤを関連付けて登録する手段である。無線タグＩＤ／機器ＩＤ登録部１５に登録する各無線タグＩＤと各機器ＩＤは、登録情報受信部１９から入力する。なお、この入力は、操作／表示部１６から手操作で入力してもよい。
【００２３】
操作／表示部１６は、本装置１を操作する者からの操作を受付けると共に、操作者への情報を表示する手段であり、例えば、タッチ入力パネルとディスプレイが一体化されたデバイスである。なお、操作部と表示部は別であってもよい。
【００２４】
機器ＩＤ／リモート操作コマンド登録部１７は、機器ＩＤと、リモート操作コマンドを含む各被リモコン機器に係る情報（名称等）を関連付けて登録する手段である。機器ＩＤ／リモート操作コマンド登録部１７に登録する情報は、登録情報受信部１９から入力する。なお、この入力は、操作／表示部１６から手操作で入力してもよい。また、ビーコンＩＤ／機器ＩＤ登録部１３と無線タグＩＤ／機器ＩＤ登録部１５と機器ＩＤ／リモート操作コマンド登録部１７は、一つの記憶デバイスで一体化してもよい。
【００２５】
リモート操作信号発信部１８は、制御部１０から指示されたリモート操作コマンドを含むリモート操作信号（赤外線信号またはその他の無線信号）を発信する手段である。
【００２６】
登録情報受信部１９は、ビーコンＩＤ／機器ＩＤ登録部１３，無線タグＩＤ／機器ＩＤ登録部１５，機器ＩＤ／リモート操作コマンド登録部１７に登録する、各種情報を受信する手段である。登録情報受信部１９は，外部機器（図示せず）から受信した各種ＩＤ情報やリモート操作コマンド情報を制御部１０へ出力する。制御部１０は、入力した情報をビーコンＩＤ／機器ＩＤ登録部１３，無線タグＩＤ／機器ＩＤ登録部１５，機器ＩＤ／リモート操作コマンド登録部１７に振り分けて登録する。
【００２７】
図３は、ビーコンＩＤ／機器ＩＤ登録部１３と無線タグＩＤ／機器ＩＤ登録部１５とリモート操作信号発信部１８に登録された情報の例を表形式で表現したものである。行３０１はビーコンＩＤ、行３０２は機器ＩＤ／無線タグＩＤ、行３０３はリモート操作コマンドである。なお、行３０２における機器ＩＤ／無線タグＩＤは同一のＩＤ情報としている。
【００２８】
図３の例では、エリアＡ（例えば、居間）にＩＤ（エリアＡ）というビーコンＩＤを発信するビーコン発信器２が存在し、そのエリアに、ＩＤ（エアコン）という機器ＩＤまたは無線タグＩＤに対応する被リモコン機器としてのエアコン３と、ＩＤ（テレビ）という機器ＩＤまたは無線タグＩＤに対応する被リモコン機器としてのテレビ４と、ＩＤ（ビデオ）という機器ＩＤまたは無線タグＩＤに対応する被リモコン機器としてのビデオ５が存在しており、行３０３に示すリモート操作コマンドで各機器をリモート操作できることを示している。
【００２９】
図４は、操作／表示部１６に表示された操作画面の表示例であり、本装置１が、図３のエリアＡの内に存在し、エリアＡ内のエアコン３とテレビ４とビデオ５のリモート操作コマンドに係る情報を表示している。１６１は、本装置１の各種設定画面を呼出す設定スイッチである。１６２は、リモコン操作対象の機器の選択に係る機器選択スイッチである。１６３は、エアコン３のリモート操作コマンド情報の表示例である。１６４は、テレビ４のリモート操作コマンド情報の表示例である。１６５は、ビデオ５のリモート操作コマンド情報の表示例である。なお、操作／表示部１６に表示される各被リモコン機器のリモート操作コマンド情報やそのピクトグラムは一般的なものであり、その詳細については説明を省く。
【００３０】
図５は、本装置１の動作フローチャートであり、図１〜図４を併用して、本装置１の動作フローを説明する。本フローは電源が投入された状態でスタートし（Ｓ５００）、待機状態において、Ｓ５１０，Ｓ５５０，Ｓ５７０，Ｓ５６０の各ＮＯを循環し、各イベントの発生を待つ。
【００３１】
Ｓ５１０において、被リモコン機器の自動探索が起動された場合（Ｓ５１０，ＹＥＳ）、制御部１０は、ビーコン信号受信部１２および無線タグリーダ１４を起動し（Ｓ５１１）、Ｓ５２０へ進む。この自動探索の起動は、例えば、本装置１の操作／表示部１６に表示されている機器選択スイッチ１６２（図４）を押下して起動する。
【００３２】
Ｓ５２０において、ビーコン信号受信部１２がビーコンＩＤを受信した場合（Ｓ５２０，ＹＥＳ）、被リモコン機器特定部１１は、ビーコンＩＤ／機器ＩＤ登録部１３を参照し、受信したビーコンＩＤに対応する機器ＩＤを特定し、制御部１０へ特定した機器ＩＤを通知する。そして、機器ＩＤを通知された制御部１０は、機器ＩＤ／リモート操作コマンド登録部１７を参照し、通知された機器ＩＤに対応する被リモコン機器の情報の一覧を操作／表示部１６に表示し（Ｓ５２１）、Ｓ５３０へ進む。Ｓ５２０でＮＯの場合、Ｓ５２１をスキップして、Ｓ５３０へ進む。
【００３３】
Ｓ５３０において、本装置１をいずれかの無線タグに近づけ、無線タグリーダ１４が無線タグＩＤを読取った場合（Ｓ５３０，ＹＥＳ）、被リモコン機器特定部１１は、無線タグＩＤ／機器ＩＤ登録部１５を参照し、読取った無線タグＩＤに対応する機器ＩＤを特定し、制御部１０へ特定した機器ＩＤを通知する。そして、機器ＩＤを通知された制御部１０は、機器ＩＤ／リモート操作コマンド登録部１７を参照し、通知された機器ＩＤに対応する被リモコン機器の情報の一覧を操作／表示部１６に表示すると共に、タイマー（例えば、１分）を起動し（Ｓ５３１）、Ｓ５３２へ進む。Ｓ５３０でＮＯの場合、Ｓ５３１をスキップして、Ｓ５３２へ進む。
【００３４】
Ｓ５３２において、Ｓ５３０で起動したタイマーがタイムアウトしていない場合、かつキー操作も為されていない場合（Ｓ５３２，ＮＯ）、Ｓ５３０へ戻って、被リモコン機器の無線タグＩＤの読取りを繰り返す。このＳ５３０〜Ｓ５３２のループを繰り返すことにより、複数の被リモコン機器を特定，選択できる。タイムアウトした場合、またはキー操作が為された場合（Ｓ５３２，ＹＥＳ）、Ｓ５４０へ進む。なお、このキー操作は、Ｓ５３０〜Ｓ５３２のループを積極的にブレイクするための操作であり、例えば、操作／表示部１６の任意の箇所（一般的なAny Keyに相当）をタッチすればよい。この場合、Ｓ５４０における操作とこの任意の箇所へのタッチを兼用できるので便利である。また、Ｓ５２１およびＳ５３１で機器を特定できなかった場合に、Ｓ５５１へジャンプして、機器ＩＤ／リモート操作コマンド登録部１７に登録済みの全被リモコン機器の情報を一覧表示するようにしてもよい（図示せず）。
【００３５】
Ｓ５４０において、操作／表示部１６に表示されている複数の被リモコン機器のいずれかを選択する操作が為された場合（Ｓ５４０，ＹＥＳ）、制御部１０は、機器ＩＤ／リモート操作コマンド登録部１７を参照し、選択された被リモコン機器のリモート操作コマンドに係る操作スイッチ群（例えば、図４の１６３内のスイッチ）を表示して、Ｓ５４３へ進む。
【００３６】
Ｓ５４０において、一定時間内に複数の被リモコン機器のいずれかを選択する操作が為されない場合（Ｓ５４０，ＮＯ）、制御部１０は、機器ＩＤ／リモート操作コマンド登録部１７を参照し、特定した全被リモコン機器に対応するリモート操作コマンドに係る操作スイッチ群（例えば、図４の１６３〜１６５）を表示すると共に（Ｓ５４２）、ビーコン信号受信部１２と無線タグリーダ１４を停止し（Ｓ５４３）、Ｓ５６０へ進む。
【００３７】
ここで、ビーコン信号受信部１２と無線タグリーダ１４を停止する理由は、リモート操作中に新たな被リモコン機器が追加されて操作が混乱することを防止するためである。新たな被リモコン機器を追加するには、例えば、Ｓ５１０に戻って、被リモコン機器の自動探索を再起動（Ｓ５１０，ＹＥＳ）すればよい。なお、ビーコン信号受信部１２と無線タグリーダ１４を停止せずに、常時、新たな被リモコン機器の追加を許容することも可能である。また、Ｓ５４０におけるＮＯは、複数の被リモコン機器の全てを選択する操作が為された場合も含む。
【００３８】
Ｓ５５０において、被リモコン機器を手動で選択する操作（例えば、図４の機器選択スイッチ１６２押下）が為された場合（Ｓ５５０，ＹＥＳ）、制御部１０は、操作／表示部１６に、機器ＩＤ／リモート操作コマンド登録部１７に登録済みの全被リモコン機器の情報（名称等）を一覧表示し（Ｓ５５１）、Ｓ５５２へ進む。Ｓ５５０でＮＯの場合、Ｓ５７０へ進む。
【００３９】
Ｓ５５２において、操作／表示部１６に表示中のいずれかの被リモコン機器を選択する操作が為された場合（Ｓ５５２，ＹＥＳ）、選択された被リモコン機器の操作スイッチ群を表示し（Ｓ５５３）、Ｓ５５４へ進む。Ｓ５５２でＮＯの場合、Ｓ５５３をスキップして、Ｓ５５４へ進む。そして、機器選択を終了する操作が為された場合（Ｓ５５４，ＹＥＳ）、Ｓ５６０へ進み、以降のリモコン操作を可能とする。Ｓ５５４でＮＯの場合、Ｓ５５２へ戻る。なお、Ｓ５５２〜Ｓ５５４のフローを循環して、複数の被リモコン機器を選択することも可能である。
【００４０】
Ｓ５６０において、操作／表示部１６に表示中の操作スイッチ群へのリモコン操作が為された場合（Ｓ５６０，ＹＥＳ）、制御部１０は、リモート操作信号発信部１８を起動し、為されたリモコン操作に対応するリモート操作コマンドを含むリモート操作信号（無線信号）を発信し（Ｓ５６１）、Ｓ５１０へ戻る。Ｓ５６０でＮＯの場合、Ｓ５６１をスキップして、Ｓ５１０へ戻る。
【００４１】
Ｓ５７０において、設定操作（例えば、図４の設定スイッチ１６１押下）が為された場合（Ｓ５７０，ＹＥＳ）、操作／表示部１６に設定操作画面を表示し（図示せず）、操作内容に従って、自リモコン装置の動作に係る各種パラメータやリモート操作コマンドを登録／変更／削除し（Ｓ５７１）、Ｓ５７２へ進む。Ｓ５７０でＮＯの場合、Ｓ５６０へ進む。
【００４２】
Ｓ５７１における、各種パラメータの設定／変更は、例えば、設定スイッチ１６１を押下した後のプルダウンメニューを操作／表示部１６に階層的に表示して操作させるようにすればよい（図示せず）。また、リモート操作コマンドの登録／変更／削除も、プルダウンメニューを操作／表示部１６に階層的に表示して操作させるようにしてもよい。
【００４３】
ここで、多数の被リモコン機器のリモート操作コマンドを各機器ＩＤと関連付けて登録する作業は大変なので、本装置１とローカル接続（無線または有線）された外部機器（例えば、パーソナルコンピュータやスマートホン）で編集された、ビーコンＩＤ／機器ＩＤ／リモート操作コマンド／機器名等を、登録情報受信部１９を介して入力することが可能である。制御部１０は、登録情報受信部１９から入力された情報をビーコンＩＤ／機器ＩＤ登録部１３，無線タグＩＤ／機器ＩＤ登録部１５，機器ＩＤ／リモート操作コマンド登録部１７に振り分けて登録する。
【００４４】
Ｓ５７２において、設定終了操作（例えば、図４の設定スイッチ１６１の再押下）が為された場合（Ｓ５７２，ＹＥＳ）、操作／表示部１６の表示内容を設定操作開始前の画面に戻し（Ｓ５７３）、Ｓ５１０へ戻る。Ｓ５７２でＮＯの場合、Ｓ５７１へ戻る。
【００４５】
以上、本発明の実施形態について説明した。本発明によれば、複数の被制御機器を自動的または簡単な操作で選択できる、複数の機器をリモート操作するリモコン装置を提供できる。特に本実施形態では、ビーコン受信部１２と無線タグリーダ１４の両方を備えているので、部屋内の複数の被リモコン装置をビーコン受信部１２で検出し、その複数の被リモコン装置の内のリモート操作をしたい被リモコン装置を、無線タグリーダ１４で選択することができる。
【００４６】
なお、本実施形態において、本装置１は、ビーコン受信部１２と無線タグリーダ１４の両方を備えたリモコン装置として説明したが、本発明はこれに限定されない。即ち、ビーコン受信部１２または無線タグリーダ１４のいずれかだけを実装し、ビーコンＩＤまたは無線タグＩＤのいずれかだけで被リモコン機器を選択するようにしてもよい。無線タグリーダ１４だけを実装した場合において、ビーコン発信器２の代わりに、長距離読取対応（例えば、１０ｍ程度）のアクティブ型無線タグを適用することも可能である。
【００４７】
また、本装置１の現在地を特定する方式として、ビーコン発信器２からのビーコンＩＤを利用しているが、例えば、ＧＰＳ（Global Positioning System）のような、一般的な測位方式を適用することも可能である。
【００４８】
さらに、機器ＩＤを取得する方式として無線タグ方式を適用しているが、この無線タグをバーコードとし、無線タグリーダ１４をバーコードリーダに置き換えてもよい。
【００４９】
ところで、本装置１は、複数の被リモコン機器を選択的にリモート操作するリモコン装置なので、各種被リモコン機器のリモート操作コマンドを自由に登録できることが望ましい。このため、本装置１は、例えば、所定の携帯端末（スマートホンや携帯パソコン等）に、図５と同等の動作フローを実現するアプリケーションソフトウェアを組み込んでもよい。そして、所定のサイト（例えば、被リモコン機器の製造会社が提供するサービスサイト）から、所望の被リモコン機器のリモート操作コマンドをダウンロードするようにしてもよい。
【符号の説明】
【００５０】
１・・・リモコン装置
２・・・ビーコン発信器
３・・・エアコン
３Ａ・・・無線タグ
４・・・テレビ
４Ａ・・・無線タグ
５・・・ビデオ
５Ａ・・・無線タグ
１０・・・制御部
１１・・・被リモコン機器特定部
１２・・・ビーコン信号受信部
１３・・・ビーコンＩＤ／機器ＩＤ登録部
１４・・・無線タグリーダ
１５・・・無線タグＩＤ／機器ＩＤ登録部
１６・・・操作／表示部
１７・・・機器ＩＤ／リモート操作コマンド登録部
１８・・・リモート操作信号発信部
１９・・・登録情報受信部
【図１】
2017225035.tif 000003
【図２】
2017225035.tif 000004
【図３】
2017225035.tif 000005
【図４】
2017225035.tif 000006
【図５】
2017225035.tif 000007